(57)【要約】【課題】水道水に含まれる塩素などの有害物質をより確実に取除き、カルシウムやマグネシウムなどの有効成分を付加するなどして、人間の身体により有効な水道水を供給することのできる浄水器を提供する。【解決手段】水道の蛇口Ｆに連結され、水道水を、浄水槽部２に組み込まれたフィルター部３に設けられたフィルター３ａを通過させ、同じく前記浄水槽部２に組み込まれた電解槽４で電気分解することにより浄化する浄水器であって、前記フィルター３ａは、活性炭層に高純度マグネシウムＭｇが混入されてなる。また、水道水を浄化する部分である浄水槽部２に、高純度マグネシウムＭｇを充填してなる室を設ける。【選択図】      図３
2005169258.tif 000002
【特許請求の範囲】
【請求項１】
水道の蛇口に連結され、水道水を、浄水槽部に組み込まれたフィルター部に設けられたフィルターを通過させ、同じく前記浄水槽部に組み込まれた電解槽で電気分解することにより浄化する浄水器であって、
前記フィルターは、活性炭層に高純度マグネシウムが混入されてなることを特徴とするマグネシウム浄水器。
【請求項２】
水道の蛇口に連結され、水道水を、浄水槽部に組み込まれたフィルター部に設けられたフィルターを通過させ、同じく前記浄水槽部に組み込まれた電解槽で電気分解することにより浄化する浄水器であって、
前記浄水槽部に、高純度マグネシウムが充填されてなるマグネシウム室を設けて、水道水を通過させるようにしたことを特徴とするマグネシウム浄水器。
【発明の詳細な説明】
【技術分野】
【０００１】
本発明は、水道水を高純度マグネシウムのはたらきによって浄化する浄水槽部を備えた浄水器に関するものである。
【背景技術】
【０００２】
従来から水道水に含まれる塩素などの有害物質を取り除き、有効成分を付加し、水質を改善するために浄水器が使用されている。この浄水器は、通常、水道水を浄化する部分である浄水槽部に、活性炭フィルターなどの活性炭層、セラミック槽および電解槽を備えている。そして、浄水槽部に供給された水道水を、活性炭層においてそれに含まれる塩素等を除去し、セラミックス槽でマイナスイオンを付加し、電解槽でアルカリイオン水としている。
【発明の開示】
【発明が解決しようとする課題】
【０００３】
しかしながら、従来の浄水器は水道水に含まれる塩素などの有害物質を全て完全に除去するものではないので、当該有害物質をさらに確実に除去することが望まれる。それと同時に、カルシウムやマグネシウムなどの有効成分を付加するなどして、より人間の身体に有効な水道水とすることが望まれる。
【０００４】
そこで、本発明の目的とするところは、水道水に含まれる塩素などの有害物質をより確実に取除き、カルシウムやマグネシウムなどの有効成分を付加するなどして、人間の身体により有効な水道水を供給することのできる浄水器を提供することにある。
【課題を解決するための手段】
【０００５】
上記の目的を達成するために、本発明の請求項１に記載のマグネシウム浄水器（１）は、水道の蛇口（Ｆ）に連結され、水道水を、浄水槽部（２）に組み込まれたフィルター部（３）に設けられたフィルター（３ａ）を通過させ、同じく前記浄水槽部（２）に組み込まれた電解槽（４）で電気分解することにより浄化する浄水器であって、前記フィルター（３ａ）は、活性炭層に高純度マグネシウム（Ｍｇ）が混入されてなることを特徴とする。
【０００６】
また、請求項２に記載の発明は、水道の蛇口（Ｆ）に連結され、水道水を、浄水槽部（２）に組み込まれたフィルター部（３）に設けられたフィルター（３ａ）を通過させ、同じく前記浄水槽部（２）に組み込まれた電解槽（４）で電気分解することにより浄化する浄水器であって、前記浄水槽部（２）に、高純度マグネシウム（Ｍｇ）が充填されてなるマグネシウム室（１０）を設けて、水道水を通過させるようにしたことを特徴とする。
【０００７】
請求項１、２でいうところの、高純度マグネシウム（Ｍｇ）とは、純度略９９パーセント以上のものをいう。
【０００８】
なお、カッコ内の記号は、図面および後述する発明を実施するための最良の形態に記載された対応要素または対応事項を示す。
【発明の効果】
【０００９】
本発明のマグネシウム浄水器によれば、水道水を浄化する部分である浄水槽部に、高純度マグネシウムが混入されたフィルターあるいは、高純度マグネシウムが充填された室が設けられているので、次の効果を発揮する。
【００１０】
（１）塩素、トリハロメタン、有機化合物、チッソ酸化物といった有害な物質を、より確実に除去することができる。
（２）ペーハー（ｐＨ：水素イオン指数）を高めて、弱アルカリ性とし、人間の体液により近い水質とすることができる。
（３）ＯＲＰ（酸化還元電位）を下げて、酸化し難い水とすることができる。酸化還元電位は、数値が高いほど酸化し易く、低いほど酸化し難いので、当該数値を下げることによって酸化し難い水を作ることができる。
【００１１】
（４）ＭＮＲ値を下げて、人間の身体に吸収され易い水とすることができる。ＭＮＲ値とは、水の分子集団を数値化したものであり、数値が低いほど水の分子が小さくて吸収され易く、健康に良い水とされている。
（５）カルシウム・マグネシウムイオンの量を増加させることができ、ミネラル分の補強に貢献する。カルシウム・マグネシウムイオンは、人間の健康維持に欠かせないもので、必須ミネラルの中でも特に重要な物質である。
（６）活性水素を付加し、病気の原因である活性酸素のはたらきを抑える。活性酸素が病気の原因となることが知られているが、活性水素はこの活性酸素を抑制し、また、消去するはたらきをする。
【００１２】
特に、請求項１に記載の発明のように、フィルターの活性炭層に混入したものは、活性炭層と共に交換することができるため、取扱いが容易である。
【００１３】
また、請求項２に記載の発明のように、高純度マグネシウムを、浄水槽部に設けたマグネシウム室に充填したものは、高純度マグネシウムのみの交換が可能となる。
【発明を実施するための最良の形態】
【００１４】
図１乃至図４を参照して、本発明の第一実施形態に係るマグネシウム浄水器１について説明する。図１はマグネシウム浄水器１を示す正面図であり、図２はその要部平面図である。また、図３は図１に示す浄水器１を構成する浄水槽部２の概略正面断面図であり、図４はそのＡ−Ａ線断面図である。
【００１５】
このマグネシウム浄水器１は、水栓部８、ホース部９および薄型の浄水槽部２で構成されている。この浄水槽部２は壁Ｗに掛けて使用するものであり、よって、大きな収納スペースを必要とせず、台所作業の邪魔にならないといった利点を有する。また、浄水槽部２の前面には、絵や写真を飾り付けることのできる装飾フレーム７を取付けており、これにより台所の美観を高めている。
【００１６】
水栓部８は、水道の蛇口Ｆに取付けられるもので、切替ハンドル８ａを操作することによって、水道水を浄水槽部２に供給する。ホース部９は、水栓部８と浄水槽部２を連結するもので、取水ホース９ａと給水ホース９ｂを備える。
【００１７】
浄水槽部２は、供給された水道水を浄化し、また、有効成分を付加するなどのはたらきをするもので、平板状でカートリッジ式のフィルター３ａが設けられたフィルター部３、セラミックス槽５、電解槽４および電気回路部６を備える。そして、フィルター３ａは、活性炭層に、純度９９％以上の高純度マグネシウムＭｇを混入してなるものである。
【００１８】
なお、このフィルター３ａは、原料である活性炭に適量の高純度マグネシウムＭｇと接着剤（添着剤）を混入した後、金型で所定の形状に成形する。そして、１１０℃で１２時間以上乾燥させて固化した後、不織布で巻いて完成品とする。
【００１９】
本実施形態に係るマグネシウム浄水器１において、水道水を、蛇口Ｆから水栓部８および取水ホース９ａを通して浄水槽部２に供給すると、まず、活性炭層３で塩素などの有害物質が除去されると共に、カルシウムやマグネシウムなどの有効成分が付加される。また、水素イオン指数（ｐＨ）が高められるなどの水質改善が行われる。次に、この水道水はセラミックス槽５を通過し、そこでマイナスイオンが付加され、続く電解槽４で電解作用によりアルカリイオン水とされた後、給水ホース９ｂを通過して蛇口Ｆから供給される。
【００２０】
本発明者らは、高純度マグネシウムＭｇを混入したフィルター３ａのはたらきを確認すべく実験を行い、水道水との比較を行った。その結果を、図５に示す。
【００２１】
この実験は、下記の条件下において、高さ２２０ｍｍ、長さ３００ｍｍ、奥行き３５ｍｍの浄水槽部２に、高さ１２５ｍｍ、長さ２５０ｍｍ、厚さ１０ｍｍのフィルター３ａを設けた。このフィルター３ａは、その容積の５％に、純度９９％以上の高純度マグネシウムＭｇを溶着させたものを使用した。そして、そのフィルター３ａに、毎分５リッターの広島市の水道水を通水させた。
測定日時等：  平成１５年８月２８日、水温２０度、水圧１．２ｋｇ／ｃｍ
測定期間  ：  平成１５年５月１０日〜同年８月２７日
測定場所  ：  広島県立東部工業試験場内
【００２２】
この実験から、高純度マグネシウムＭｇを混入したフィルター３ａを通過させて浄化すると、以下の効果が得られることを確認した。
（１）塩素、トリハロメタン、有機化合物、チッソ酸化物といった有害な物質を確実に除去することができる。特に、塩素およびトリハロメタンにあっては、その全てを除去することができる。
（２）ペーハー（ｐＨ：水素イオン指数）を、水道水の７．０から７．８まで高めることができる。これにより、人間の体液により近い水質とすることができる。
（３）ＯＲＰ（酸化還元電位）を、６００ｍｖから１５０ｍｖまで大幅に下げて、酸化し難い水とすることができる。
【００２３】
（４）ＭＮＲ値を１３７Ｈｚから５２Ｈｚまで下げて、人間の身体に吸収され易く、健康に良い水とすることができる。
（５）カルシウム・マグネシウムイオンの量を７ｍｇ／ｌから２５ｍｇ／ｌに増加させることができる。これにより、ミネラル分の補強に貢献する。
（６）活性水素を１００ｐｐｂ付加することができる。これにより、病気の原因である活性酸素を抑制、消去することができる。
【００２４】
次に、図６を参照して、本発明の第二実施形態に係るマグネシウム浄水器１について説明する。図６は、本浄水器１の浄水槽部２を示す概略正面断面図である。
このマグネシウム浄水器１は、第一実施形態と同様の薄型で壁掛け式の浄水槽部２を有するもので、その浄水槽部２に単独のマグネシウム室１０を設け、このマグネシウム室１０に純度９９％以上の高純度マグネシウムＭｇを充填し、水道水をマグネシウム室１０に通過させるようにしたものである。
【００２５】
こうした構成においても、第一実施形態の場合と同様に、塩素などの有害物質を効果的に取り除くことができ、また、カルシウムやマグネシウムなどの有効物質を付加し、さらにｐＨを高めるなどの水質改善を行うことができる。
【００２６】
図６を参照して、本発明の第三実施形態に係るマグネシウム浄水器１について説明する。図６はマグネシウム浄水器１の浄水槽部２を示す概略斜視図である。
このマグネシウム浄水器１は、その浄水槽部２内に円筒状のフィルター３ａを設けたもので、流し台などの水平面Ｌに立てた状態で設ける従前のタイプである。このフィルター３ａにも、純度９９％以上の高純度マグネシウムＭｇを混入しており、これによれば、第一および第二実施形態の浄水器１と同様の作用効果を発揮する。
【図面の簡単な説明】
【００２７】
【図１】本発明の第一実施形態に係るマグネシウム浄水器を示す正面図である。
【図２】図１に示す浄水器の要部平面図である。
【図３】図１に示す浄水器を構成する浄水槽部の概略正面断面図である。
【図４】図３のＡ−Ａ線断面図である。
【図５】本発明のマグネシウム浄水器の性能を示す図である。
【図６】本発明の第二実施形態に係るマグネシウム浄水器の浄水槽部を示す概略正面断面図である。
【図７】本発明の第三実施形態に係るマグネシウム浄水器の浄水槽部を示す概略斜視図である。
【符号の説明】
【００２８】
１      マグネシウム浄水器
２      浄水槽部
３      フィルター部
３ａ    フィルター
４      電解槽
５      セラミックス槽
６      電気回路部
７      装飾フレーム
８      水栓部
８ａ    切替ハンドル
９      ホース部
９ａ    取水ホース
９ｂ    給水ホース
１０      マグネシウム室
Ｍｇ    高純度マグネシウム
Ｆ      水道の蛇口
Ｗ      壁
Ｌ      水平面
【図１】
2005169258.tif 000003
【図２】
2005169258.tif 000004
【図３】
2005169258.tif 000005
【図４】
2005169258.tif 000006
【図５】
2005169258.tif 000007
【図６】
2005169258.tif 000008
【図７】
2005169258.tif 000009